(57)【要約】エレベータのかご（８）が昇降する昇降路（２）と、機械室（４）と、機械室（４）と昇降路（２）を仕切る機械室床（６）と、機械室（４）に設けられ、エレベータのかご（８）を昇降するための巻上機（１２）と、を備えたエレベータ装置において、機械室床（６）は、昇降路（２）の所定の位置に支持された支持部（２０）と、支持部（２０）に支持され、巻上機（１２）を設置するための機械台（２４）とを含む。また、この機械台（２４）は、巻上機を設置する機械台設置部（３２）と、支持部（２０）に支持される機械台支持部（３０）と、を有する。また、機械台設置部（３２）は、機械台支持部（３０）に対して厚く形成されている。
2003104130.tif 000002
【特許請求の範囲】
【請求項１】
エレベータのかごが昇降する昇降路と、
機械室と、
前記機械室と昇降路を仕切る機械室床と、
前記機械室に設けられ、前記エレベータのかごを昇降するための巻上機と、
を備えたエレベータ装置であって、
前記機械室床は、
昇降路の所定の位置に固定された支持部と、
前記支持部に支持され、前記巻上機を設置するための機械台と、を含み、
前記機械台は、
前記巻上機を設置する機械台設置部と、
前記支持部に支持される機械台支持部と、を有し、
前記機械台設置部は、前記機械台支持部に対して厚く形成されたことを特徴とするエレベータ装置。
【請求項２】
前記機械室床は、更に、前記支持部と、前記機械台支持部との間に、前記支持部に支持される機械室床板を備え、
前記機械台設置部は、前記機械室床板に嵌め込まれたことを特徴とする請求項１に記載のエレベータ装置。
【請求項３】
前記機械室床板は、中央部に開口を有し、
前記機械台設置部は、前記開口に係合して嵌め込まれたことを特徴とする請求項２に記載のエレベータ装置。
【請求項４】
前記機械室床は、更に、前記機械台に支持され、機械室床表面全体を覆う表面床板を含むことを特徴とする請求項１から３のいずれかに記載のエレベータ装置。
【請求項５】
前記巻上機の回転を制御する制御装置を備えることを特徴とする請求項１から４のいずれかに記載のエレベータ装置。
【請求項６】
前記制御装置は、一部において、前記機械室床に嵌め込まれたことを特徴とする請求項５に記載のエレベータ装置。
【請求項７】
前記巻上機の回転を制御する制御装置を備え、
前記制御装置は、２面がほぼ垂直に交わるＬ字型の形状を有する部分を含み、
前記２面のうち、１面が、前記表面床板に嵌め込まれ、前記支持部に支持されることを特徴とする請求項４に記載のエレベータ装置。
【請求項８】
前記機械室は、前記昇降路の上方を仕切ることにより設けられ、前記昇降路の水平方向の断面積と、前記機械室の水平方向の断面積とは同じであることを特徴とする請求項１から７のいずれかに記載のエレベータ装置。
【発明の詳細な説明】
技術分野
この発明はエレベータ装置に関する。更に具体的には、エレベータ装置において、エレベータ用昇降路の上部に配置される機械室に用いられるものである。
背景技術
図５は、従来のエレベータ装置２００内部を示す概念図である。
図５に示すように、エレベータ装置２００には、昇降路２が備えられている。昇降路２の上部は、機械室床４で仕切られ、機械室６が設けられている。
昇降路２には、かご８及び釣合錘１０が釣り下げられ、昇降路２をかご８及び、釣合錘１０が昇降するようになっている。
また、機械室６には、巻上車１２が設けられている。巻上車１２には、制御装置１４が接続されている。また、機械室６には、ドア１６が設けられ、このドアから機械室６に出入りすることができる。
巻上車１２には、ロープ１８が巻きかけられている。また、ロープ１８の一端は、機械室６から、昇降路２に垂れ下がり、かご８に接続し、昇降路２にかご８を釣り下げている。また、他端は、機械室６から、昇降路２に垂れ下がり、釣合錘１０に接続し、昇降路２に釣合錘１０を釣り下げている。
図６は、エレベータ装置２００の機械室６を示す上面図であり、図７は、機械室６の、図６のＡ−Ａ´におけるの断面図である。
図６、図７に示すように、機械室床４は、建築梁６２、機械室床板４４、機械台６６を含んで構成される。
建築梁６２は、昇降路２の所定の高さにおいて、昇降路２の壁に固定されている。機械室床板４４は、建築梁６２の上に配置されている。建築梁６２は、機械室床板４４の両端、即ち、図６、図７においては左右端部を支えている。また、機械室床板４４には、ロープ通路６８、７０が設けられている。
機械室床板４４の上部には、建築梁６２に対して垂直な方向に、機械台６６が平行に二本配置されている。機械台６６は、３００ｍｍ〜５００ｍｍ程度の高さを有する柱である。機械台６６の上には、巻上機１２が設置されている。
機械台６６は、かご８や釣合錘１０を釣り下げて昇降させる巻上機１２を支持するため、十分な強度を確保する必要がある。従って、機械台６６はある程度の高さを必要とする。
上述したように、機会室６内には、３００〜５００ｍｍの高さを有する機械台６６が設けられ、この巻上機１２や制御装置１４等が設置される。しかし、エレベータ装置をビルなどに設置する場合には、できるだけ、設置するためのスペースを小さくすることが要求されることが多く、このため、エレベータ上部に配置される機械室６についても、小さくする必要があり、機械室６の大きさには、ある程度の制約がかかる。
このように、大きさの制約された機械室内で、巻上機１２や制御装置１４等の点検や修理等の作業を行う場合には、機械台６６等の突出物により、十分な足場を確保することができず、機械台６６の上に登った状態や、機械台６６、巻上機１２、制御装置１４等の突出物を避けるような体勢等、不自然な姿勢で作業を行わざるをえない。このため、円滑に作業を進めることが困難であり、作業時間が多く必要となり、安全点検等の作業の際におけるエレベータの停止時間が長時間に渡ってしまう。
さらに、機械室６の小型化の要求は進み、現在では、図５〜７に示すように、機械室６の幅を、昇降路２の幅と同じする、即ち、機械室６の水平方向の断面積を、昇降路２の断面積と同じにすることが要求されることも多い。この場合、特に、機械室６のドア１６を開けるとすぐに機械台６６が設置されて、入り口部分にすぐに大きな段差ができることになる。また、機械台６６が、部屋の全面に左右に渡って張られることになるため、制御装置１４の設置スペースを取ることができず、制御装置１４を機械台６６の上に配置することになってしまう。しかし、制御装置１４は、ある程度の高さを有するものであるため、これを機械台６６の上に配置したのでは、機械室６は、上方に、ある程度の高さを必要とするものとなってしまう。
発明の概要
従って、この発明は、以上の問題を解決するため、エレベータの構造上大きさの制約される狭い機械室を、広く使えるようにし、また、機械室内における突出物を少なくすることを目的として、改良したエレベータ装置を提案するものである。
従って、この発明のエレベータ装置は、エレベータのかごが昇降する昇降路と、機械室と、前記機械室と昇降路を仕切る機械室床と、前記機械室に設けられ、前記エレベータのかごを昇降するための巻上機と、を備えたエレベータ装置であって、前記機械室床は、昇降路の所定の位置に固定された支持部と、前記支持部に支持され、前記巻上機を設置するための機械台と、を含み、前記機械台は、前記巻上機を設置する機械台設置部と、前記支持部に支持される機械台支持部と、を有し、前記機械台設置部は、前記機械台支持部に対して厚く形成されたものである。
このようにすれば、機械台の強度を確保しながら、機械室床全体を薄くすることができるため、機械室を広くすることができ、従って、機械室内における作業を円滑に進めることができる。
また、この発明のエレベータ装置は、前記機械室床が、更に、前記支持部と、前記機械台支持部との間に、前記支持部に支持される機械室床板を備え、
前記機械台設置部は、前記機械室床板に嵌め込まれたものである。
また、この発明のエレベータ装置は、前記機械室床板が、中央部に開口を有し、前記機械台設置部は、前記開口に係合して嵌め込まれたものである。
また、この発明のエレベータ装置は、前記機械室床が、更に、前記機械台に支持され、機械室床表面全体を覆う表面床板を含むものである。
また、この発明のエレベータ装置は、前記巻上機の回転を制御する制御装置を備えるものである。
また、この発明のエレベータ装置は、前記制御装置が、一部において、前記機械室床に嵌め込まれたものである。
また、この発明のエレベータ装置は、前記巻上機の回転を制御する制御装置を備え、前記制御装置は、２面がほぼ垂直に交わるＬ字型の形状を有する部分を含み、前記２面のうち、１面が、前記表面床板に嵌め込まれ、前記支持部に支持されるものである。
さらにまた、この発明のエレベータ装置は、前記機械室が、前記昇降路の上方を仕切ることにより設けられ、前記昇降路の水平方向の断面積と、前記機械室の水平方向の断面積とは同じであるものである。
発明を実施するための最良の形態
以下、図面を参照して本発明の実施の形態について説明する。なお、各図において、同一または相当する部分には同一符号を付してその説明を簡略化ないし省略する。
図１は、この発明の実施の形態におけるエレベータ装置１００を説明するための正面図であり、エレベータ装置１００の正面の壁を取り除いて内部を示す。図１に示すように、エレベータ装置１００は、昇降路２を備える。昇降路２の上方は、機械室床４によって仕切られ、機械室６が設けられている。
かご８と、釣合錘１０は、昇降路２内に釣り下げられている。
機械室６には、巻上機１２が備えられている。巻上機１２には、制御装置１４が接続されている。また、機械室６には、機械室６に出入りするための、機械室ドア１６が設けられている。
巻上機１２には、ロープ１８が巻きかけられている。ロープ１８の一端は、機械室６から昇降路２に垂れ下がり、かご８に接続して、かご８を昇降路２に釣り下げている。また、他端は、機械室６から昇降路２に垂れ下がり、釣合錘１０に接続して、釣合錘１０を昇降路２に釣り下げている。
このように構成されたエレベータ装置１００において、巻上機１２の回転速度は、制御装置１４により設定され、また、エレベータ運行時における、巻上機１２の回転、停止も、制御装置１４により制御されている。
制御装置１４により巻上機１２の回転が開始すると、巻上機１２に巻きかけられたロープ１８が、回転方向に合わせて移動を開始し、これによって、昇降路２内を、かご８及び釣合錘１０がバランスをとって、それぞれ逆向きに昇降するようになっている。
図２は、エレベータ装置１００の機械室６を説明するための一部透視図を含む上面図である。また、図３は、機械室６の、図２におけるＡ−Ａ´面の断面図であり、図４は、Ｂ−Ｂ´面における断面図である。
機械室床４は、建築梁２０、機械室床板２２、機械台２４及び上面床板２６を含んで構成される。
建築梁２０は、図３及び図４に示すように、正面から見て、Ｉ型の梁であり、昇降路２の所定の高さにおいて、昇降路２の対向する左右２側面の壁に突出するようにして固定されている。機械室床板２２は、中央部に四角形の開口２８を有する板である。また、機械室床板２２は、建築梁２０の上に配置され、その両端、即ち、図２〜図４における左右端部において、建築梁２０によって支えられている。
機械台２４は、２本の梁によって構成される。各梁は、従来の機械台のようなＩ型の梁の、左右両端部を切り欠いて細くしたような形状を有し、両端部の切りかかれて細くなった機械台端部３０と、中央の太さの太いまま残された機械台中央部３２とにより構成される。機械台中央部３０は、もっとも厚い部分において、３００ｍｍ〜５００ｍｍの厚さを有する。また、機械台端部３０は、それぞれ、梁の長手方向が、建築梁２０に対して垂直となるように、機械室床板２２の上部に設置されている。機械台中央部３２は、機械台端部３０に接続して支えられ、正面から見て、機械室床４の中央に位置するように配置されている。また、機械台中央部３２は、機械室床板２２設けられた開口２８に嵌め込まれ、機械室床板２２の表面よりも下方に突出している。
また、機械台２４の上には、一面に上面床板２６が張られている。但し、図２は、上面床板２６を取り外した状態の上面を示しているため、上面床板２６は、図示されてない。上面床板２６は、機械室６の床面全面に張られたフラットな板である。また、上面床板２６には、ロープ通し穴３４、３６が形成されている。
このように構成された機械室床４の上部には、巻上機１２が設置されている。巻上機１２は、支持盤４０と、支持盤４０に回転可能に取り付けられた大プーリー４２と、小プーリー４４とを備える。巻上機１２の大小プーリー４２、４４を回転させることにより、大小プーリー４２、４４に巻きかけられたロープ１８を左右に動かし、これに伴って、かご８、釣合錘１０を昇降することができる。
制御装置１４は、制御盤４６と制御盤固定具４８とを含んで構成される。制御盤４６は、小型の薄い制御盤であり、制御盤固定具４８は、２面が９０度に交わった薄いＬ字型の形状を有する。制御盤４６は、制御盤固定具４８に固定されている。また、図４に示すように、制御盤固定具４８の下方は、上面床板２６の下側に埋め込まれ、機械室床板２２の上部に設置されている。また、制御装置１４から、巻上機１２に、回転や停止の信号を送信するためのケーブルも、上面床板２６の下部に配置されている。即ち、上面床板２６は、機械台２４の上部に設置されているが、機械台２４は、機械室床板２２の上面に配置された２本の梁であるため、上面床板２６と、機械室床板２２との間の、機械台２４の配置されていない部分には、空間が存在する。この空間部分を利用して、制御装置１４の制御盤固定具４８の下方と、制御盤４６の下方に接続されるケーブル５０とを、上面床板２６の下に、埋め込んで、制御装置１４が設置されている。
以上説明したように、この実施の形態によれば、機械台２４は、従来の梁の両端を薄く形成したような形状を有する梁を用いて構成される。即ち、機械台２４の、巻上機１２を支える機械台中央部３２は、機械台端部３０に対して、ある程度の厚く形成されている。また、この厚い機械台中央部３２は、機械室床板２２の開口３０に嵌め込まれている。従って、機械室床４を、全体として薄く形成することができ、これによって、機械室６のスペースを広く確保することができる。従って、安全点検や修理等の機械室６内における作業を効率よく進めることができ、作業に係る時間を短縮することができ、これによって、エレベータサービスの向上を図ることができる。
また、ここで、機械台２４において、巻上機１２が設置され、かご８や、釣合錘１０を昇降することにより、最も大きな力がかかるのは、巻上機１２を設置した機械台中央部３２である。従って、この実施の形態のように、巻上機等の設置される部分を厚くしておけば、機械台２４において、巻上機１２を十分支えられる強度を確保することができる。
また、この実施の形態によれば、上面床板２６により、機械台２４を機械室床４表面に突出するのを防いでいる。従って、機械室床４は、巻上機１２や制御装置１４等の機器を除いて、フラットな状態となっている。これにより、機械室ドア１６から出入りする際の機械室６内の段差を抑えることができ、また、巻上機１２や制御装置１４の安全点検や修理等の機械室６内における作業の際にも、十分な足場を確保することができる。従って、作業を円滑に進め、作業にかかる時間を短縮することができ、これによって、エレベータサービスの向上を図ることができる。
また、この実施の形態によれば、制御装置１４の制御盤固定具４２の下方と、ケーブル５０とを、上面床板２６の下方に埋め込み、上面床板２６と、機械室床板２２との間の空間を利用して設置している。従って、高さの高い制御装置１４を、機械台２４を避けて、低い位置に設置することができるため、機械室６の高さが、制御装置１４によって高くなることを防ぐことができる。
また、制御盤固定具４８は、Ｌ字型の形状にし、一面を機械室床４内に埋め込み、この制御盤固定具４８に、薄型の制御盤４６を固定している。従って、制御装置１４の全体の厚さを薄くし、かつ、設置に要する部品に幅を取られることなく、安定した状態で、設置することができる。
なお、この実施の形態においては、機械室６に制御装置１４が備えられたものについて説明したが、この発明はこれに限るものではなく、制御装置１４は、エレベータ装置の外部に備えられているもの等であってもよい。また、制御装置が、機械室６内に設置されている場合も、制御装置の形状は、この実施の形態において説明したものに限らず、他の形状であってもよい。また、機械室床４内に、制御装置が嵌め込まれているものに限らず、従来のように、機械室床４の上面に設置されているものであってもよい。
また、この実施の形態においては、機械室床板２２は、四角形の開口３０を有し、この部分に、機械台中央部４２を嵌め込むことにより、機械台２４を機械室床板２２に嵌め込んでいる。しかし、開口は四角形に限るものではなく、機械台中央部４２の形状に合わせて、左右に長い長方形の開口を２つ平行に設けたものなどであってもよい。ただし、この場合には、別途、ロープ通し穴が必要となる。また、機械台２４を機械室床板２２に嵌め込む方法は、これに限るものではない。
また、この実施の形態の機械台２４においては、機械室６の中央に配置されるように厚さの厚い機械室中央部分３２を設けて、ここに巻上機１２を設置した。しかし、機械台２４の形状はこれに限るものではなく、巻上機１２を設置する部分が厚く形成されているものであれば良い。
また、この実施の形態において、機械室６の幅が、昇降路２の幅と同じ幅、即ち、機械室６と昇降路２との水平方向の断面積が同じである場合について説明したが、この発明は、これに限るものではなく、機械室６のスペースが更に必要な場合には、機械室６が、昇降路２の幅よりも大きくなっているものであっても良い。
また、エレベータ装置の昇降するための機構や、巻上機１２や、建築梁２０等の形状、構造等は、この実施の形態において説明したものに限るものではなく、この発明の範囲内において、他の形状、構造であってもよい。
なお、この発明において、支持部は、機械室床を支持する部分であり、例えば、この実施の形態においては、建築梁２０が該当する。また、機械台設置部は、巻上機を設置するため、機械台の他の部分に対して厚く形成されている部分であり、例えば、この実施の形態における機械室中央部３２が該当する。また、機械台支持部は、支持部に支持される部分であり、例えば、この実施の形態における機械室端部３０が該当する。
産業上の利用可能性
以上説明したように、この発明によれば、機械台の巻上機を設置する部分を厚く形成し、この部分を、機械室床板に嵌め込んでいる。従って、巻上機等を設置する機械台の強度を保ちながら、機械室床部分全体の厚みを薄くして、機会室内のスペースを広く取ることができる。したがって、機械室の省スペース化を図ることができる。また、小さな機械室内でも作業を効率よく進めることができ、従って、エレベータサービスの向上を図ることができる。
また、この発明において、機械台の上面に表面床板を配置するものについては、機械室床の突出物を少なくすることができる。従って、更に十分な足場を確保して機械室内での作業を効率よく進めることができ、作業にかかる時間を短縮することができる。
また、この発明において、制御装置を機械室床に嵌め込むものについては、高さの高い制御装置を配置するために、機械室全体の高さが高くなることを抑えることができる。従って、機械室の省スペース化を図ることができる。また、制御装置の一部を嵌め込む構造にしているため、制御装置を薄型にしても、安定して制御装置を設置することができる。
【図面の簡単な説明】
図１は、この発明の実施の形態におけるエレベータ装置を示す模式図である。
図２は、この発明の実施の形態におけるエレベータ装置の機械室を示す上面模式図である。
図３は、この発明の実施の形態におけるエレベータ装置の機械室を示す断面模式図である。
図４は、この発明の実施の形態におけるエレベータ装置の機械室を示す断面模式図である。
図５は、従来のエレベータ装置を示す模式図である。
図６は、従来のエレベータ装置の機械室を示す上面模式図である。
図７は、従来のエレベータ装置の機械室を示す断面模式図である。
【図１】
2003104130.tif 000003
【図２】
2003104130.tif 000004
【図３】
2003104130.tif 000005
【図４】
2003104130.tif 000006
【図５】
2003104130.tif 000007
【図６】
2003104130.tif 000008
【図７】
2003104130.tif 000009
【国際調査報告】
2003104130.tif 000010
2003104130.tif 000011